(57)【要約】【課題】データサイズが大きいファイルを携帯電話にダウンロードした際の通信料金を携帯電話会社が割り引く仕組みを提供する。【解決手段】ファイルデータ取得手段２０１は、サイト１０からダウンロードするファイルを取得する。割引率設定手２０２は、ファイルを取得すると前記サイトが前記携帯電話会社の提携先でない場合は、携帯電話会社が決定する通常の割引率をユーザデータに設定し、提携先の場合は、割引方法が固定の場合は予めサイト対応に決められている割引率をユーザデータに設定し、割引方法が動的の場合はファイルから割引率を取り出してユーザデータに設定する。ファイルデータ転送手段２０３は、前記ファイルを移動端末に転送する。課金手段２０４は、ファイルを移動端末に転送後にユーザデータに設定された割引率を用いて課金を計算する。【選択図】      図１
2004173192.tif 000002
【特許請求の範囲】
【請求項１】
サイトのサーバから移動端末にファイルをダウンロードする場合の携帯電話会社の接続センターにおける前記移動端末の料金減免方法において、まず前記サイトからダウンロードする前記ファイルを取得すると、次に、前記サイトが前記携帯電話会社の提携先かどうかを確認し、前記提携先でない場合は前記携帯電話会社が決定する通常の割引率をユーザデータに設定し、前記提携先の場合は、前記割引方法が前記サイト対応に固定か動的かを判断し、前記割引方法が前記固定の場合は予め前記サイト対応に決められている前記割引率を前記ユーザデータに設定し、前記割引方法が前記動的の場合は前記ファイルから前記割引率を取り出して前記ユーザデータに設定し、次にダウンロードする前記ファイルを前記移動端末に転送し、最後に前記ユーザデータに設定された前記割引率を用いて課金を計算することを特徴とする移動端末の料金減免方法。
【請求項２】
前記割引方法が前記サイト対応に固定か動的かの判断は、前記ファイルに予め定められたフォーマットのヘッダ部を有していなければ前記固定、前記ヘッダ部を有していれば前記動的と判断することを特徴とする請求項１記載の移動端末の料金減免方法。
【請求項３】
前記サイト対応に前記割引率と有効期間を保持した割引率表を予め備え、前記割引方法が前記固定の場合は前記割引率表から現在が前記有効期間内である場合のみ前記割引率を取り出し前記ユーザデータに設定することを特徴とする請求項１記載の移動端末の料金減免方法。
【請求項４】
前記ヘッダ部には前記割引率と有効期間を含み、前記割引方法が前記動的の場合は前記ヘッダ部から現在が前記有効期間内である場合のみ前記割引率を取り出し前記ユーザデータに設定することを特徴とする請求項２記載の移動端末の料金減免方法。
【請求項５】
前記ファイルを前記移動端末に転送する場合、前記ファイルに前記ヘッダ部を有している場合は前記ヘッダ部を前記ファイルから除去して前記移動端末に転送することを特徴とする請求項２記載の移動端末の料金減免方法。
【請求項６】
サイトのサーバから移動端末にファイルをダウンロードする場合の携帯電話会社の接続センターにおける前記移動端末の料金減免方式において、まず前記サイトからダウンロードする前記ファイルを取得するファイルデータ取得手段と、前記ファイルを取得すると前記サイトが前記携帯電話会社の提携先かどうかを確認し、前記提携先でない場合は前記携帯電話会社が決定する通常の割引率をユーザデータに設定し、前記提携先の場合は、前記割引方法が前記サイト対応に固定か動的かを判断し、前記割引方法が前記固定の場合は予め前記サイト対応に決められている前記割引率を前記ユーザデータに設定し、前記割引方法が前記動的の場合は前記ファイルから前記割引率を取り出して前記ユーザデータに設定する割引率設定手段と、前記割引率を前記ユーザデータに設定すると前記ファイルを前記移動端末に転送するファイルデータ転送手段と、前記ファイルを前記移動端末に転送後に前記ユーザデータに設定された前記割引率を用いて課金を計算する課金手段を含んで構成されることを特徴とする移動端末の料金減免方式。
【請求項７】
前記割引方法が前記サイト対応に固定か動的かの判断は、前記ファイルに予め定められたフォーマットのヘッダ部を有していなければ前記固定、前記ヘッダ部を有していれば前記動的と判断することを特徴とする請求項６記載の移動端末の料金減免方式。
【請求項８】
前記サイト対応に前記割引率と有効期間を保持した割引率表を予め備え、前記割引方法が前記固定の場合は前記割引率表から現在が前記有効期間内である場合のみ前記割引率を取り出し前記ユーザデータに設定することを特徴とする請求項６記載の移動端末の料金減免方式。
【請求項９】
前記ヘッダ部には前記割引率と有効期間を含み、前記割引方法が前記動的の場合は前記ヘッダ部から現在が前記有効期間内である場合のみ前記割引率を取り出し前記ユーザデータに設定することを特徴とする請求項７記載の移動端末の料金減免方式。
【請求項１０】
前記ファイルを前記移動端末に転送する場合、前記ファイルに前記ヘッダ部を有している場合は前記ヘッダ部を前記ファイルから除去して前記移動端末に転送することを特徴とする請求項７記載の移動端末の料金減免方式。
【発明の詳細な説明】
【０００１】
【発明の属する技術分野】
本発明は移動端末のパケット通信量に対する課金に関し、特に特定のファイルを携帯電話にダウンロードした際の通信料金を携帯電話会社が割り引く仕組みを提供する移動端末の料金減免方法及び移動端末の料金減免方式に関する。
【０００２】
【従来の技術】
従来の移動端末の通信料金軽減方法の１つとして、広告送信サーバから、予めデータ保持部に記憶されている会員の携帯電話に所定の数の広告メールを配信し、課金サーバは、広告送信サーバが会員に送信した広告メールの数量に応じて、当該会員の携帯電話使用料金を減額するやり方が提案されている。この方法では、携帯電話の利用者は、広告メールを受信するだけで、携帯電話使用料金を軽減することができる。（例えば、特許文献１参照。）
【特許文献１】
特開２００１−３０９０８７号公報
【０００３】
【発明が解決しようとする課題】
上述した従来の移動端末の通信料金軽減方法、即ち携帯電話会社が広告送信サーバが会員に送信した広告メールの数量に応じて、当該会員の携帯電話使用料金を減額するやり方では、広告の対象がデータサイズが大きいコンテンツ、例えば、着メロや、動画の場合、ダウンロードするユーザに大きな料金負担を強いることになるため、ユーザの利用敬遠を招き、十分な広告効果が上がらないという問題があった。
【０００４】
本発明の目的は、データサイズが大きいコンテンツ、例えば、着メロや、動画の場合、携帯電話にダウンロードした際の通信料金を携帯電話会社が割り引く仕組みを提供することにある。
【０００５】
【課題を解決するための手段】
本願の第１の発明は、サイトのサーバから移動端末にファイルをダウンロードする場合の携帯電話会社の接続センターにおける前記移動端末の料金減免方法において、まず前記サイトからダウンロードする前記ファイルを取得すると、次に、前記サイトが前記携帯電話会社の提携先かどうかを確認し、前記提携先でない場合は前記携帯電話会社が決定する通常の割引率をユーザデータに設定し、前記提携先の場合は、前記割引方法が前記サイト対応に固定か動的かを判断し、前記割引方法が前記固定の場合は予め前記サイト対応に決められている前記割引率を前記ユーザデータに設定し、前記割引方法が前記動的の場合は前記ファイルから前記割引率を取り出して前記ユーザデータに設定し、次にダウンロードする前記ファイルを前記移動端末に転送し、最後に前記ユーザデータに設定された前記割引率を用いて課金を計算することを特徴とする。
【０００６】
本願の第２の発明は、第１の発明の前記割引方法が前記サイト対応に固定か動的かの判断は、前記ファイルに予め定められたフォーマットのヘッダ部を有していなければ前記固定、前記ヘッダ部を有していれば前記動的と判断することを特徴とする。
【０００７】
本願の第３の発明は、第１の発明にて前記サイト対応に前記割引率と有効期間を保持した割引率表を予め備え、前記割引方法が前記固定の場合は前記割引率表から現在が前記有効期間内である場合のみ前記割引率を取り出し前記ユーザデータに設定することを特徴とする。
【０００８】
本願の第４の発明は、第２の発明の前記ヘッダ部には前記割引率と有効期間を含み、前記割引方法が前記動的の場合は前記ヘッダ部から現在が前記有効期間内である場合のみ前記割引率を取り出し前記ユーザデータに設定することを特徴とする。
【０００９】
本願の第５の発明は、第２の発明にて前記ファイルを前記移動端末に転送する場合、前記ファイルに前記ヘッダ部を有している場合は前記ヘッダ部を前記ファイルから除去して前記移動端末に転送することを特徴とする。
【００１０】
本願の第６の発明は、サイトのサーバから移動端末にファイルをダウンロードする場合の携帯電話会社の接続センターにおける前記移動端末の料金減免方式において、まず前記サイトからダウンロードする前記ファイルを取得するファイルデータ取得手段と、前記ファイルを取得すると前記サイトが前記携帯電話会社の提携先かどうかを確認し、前記提携先でない場合は前記携帯電話会社が決定する通常の割引率をユーザデータに設定し、前記提携先の場合は、前記割引方法が前記サイト対応に固定か動的かを判断し、前記割引方法が前記固定の場合は予め前記サイト対応に決められている前記割引率を前記ユーザデータに設定し、前記割引方法が前記動的の場合は前記ファイルから前記割引率を取り出して前記ユーザデータに設定する割引率設定手段と、前記割引率を前記ユーザデータに設定すると前記ファイルを前記移動端末に転送するファイルデータ転送手段と、前記ファイルを前記移動端末に転送後に前記ユーザデータに設定された前記割引率を用いて課金を計算する課金手段を含んで構成されることを特徴とする。
【００１１】
本願の第７の発明は、第６の発明の前記割引方法が前記サイト対応に固定か動的かの判断は、前記ファイルに予め定められたフォーマットのヘッダ部を有していなければ前記固定、前記ヘッダ部を有していれば前記動的と判断することを特徴とする。
【００１２】
本願の第８の発明は、第６の発明にて前記サイト対応に前記割引率と有効期間を保持した割引率表を予め備え、前記割引方法が前記固定の場合は前記割引率表から現在が前記有効期間内である場合のみ前記割引率を取り出し前記ユーザデータに設定することを特徴とする。
【００１３】
本願の第９の発明は、第７の発明の前記ヘッダ部には前記割引率と有効期間を含み、前記割引方法が前記動的の場合は前記ヘッダ部から現在が前記有効期間内である場合のみ前記割引率を取り出し前記ユーザデータに設定することを特徴とする。
【００１４】
本願の第１０の発明は、第７の発明にて前記ファイルを前記移動端末に転送する場合、前記ファイルに前記ヘッダ部を有している場合は前記ヘッダ部を前記ファイルから除去して前記移動端末に転送することを特徴とする。
【００１５】
【発明の実施の形態】
次に、本発明の実施の形態について図面を参照して詳細に説明する。
【００１６】
図１は、本発明の一実施の形態を示すシステム構成図である。
【００１７】
図１から分かるとおり、サイトを運用する提携先会社１０は、自社の着メロや、動画等のコンテンツ商品を販売するため、自社のサイトにコンテンツに応じた形式のファイルをアップロードし、不特定多数のユーザに公開する。
【００１８】
ユーザ３０がそのファイルをダウンロードしようとするときには、自分が利用契約している携帯電話会社２０の接続センター２１に接続してから、会社１０のサイトのサーバ１１に接続し、接続センターを通じて端末３１にダウンロードすることになる。
【００１９】
既存の仕組みでは、携帯電話会社が、データの通信量、または、通信時間に応じた料金をユーザに課金し、どのサイトから、どのようなデータをダウンロードしようが、課金の際の乗率は常に一定である。一般に、データ量によるものは、パケットに換算され、料金は、パケット数×乗率（円）で計算され、通信時間によるものは、通信時間×乗率（円）で計算され、課金される。
【００２０】
そのダウンロードするデータが、データサイズが一般的に大きい音声、音楽、画像、動画といった場合には、ユーザに大きな通信料金の負担を強いることになる。ユーザは高額な料金を支払ってまで、コンテンツを得ようとは思わなくなってしまう。
【００２１】
従って、本発明では、携帯電話会社２０の接続センター２１において、データサイズが一般的に大きい音声、音楽、画像、動画といったコンテンツを携帯電話にダウンロードした際の通信料金を割り引く仕組みを提供するものである。
【００２２】
この通信料金を割り引く仕組みとしては、割り引く乗率をサイト（提携先会社）対応に固定的に決めておく方法と、ファイルによって動的に変更する方法がある。
【００２３】
割り引く乗率（割引率）をサイト対応に固定的に決めるためには、サイトを運用する会社１０と、携帯電話会社２０との間で、ユーザの利用料金を減免する取り決めをしておく必要がある。
【００２４】
携帯電話会社２０と、提携する会社１０との間の取り決め内容には、利用者への課金の乗率、適用期限などがある。
【００２５】
また、割り引く乗率をファイルによって動的に変更するためには、サイトからダウンロードするファイルに課金の乗率、適用期限などを設定したヘッダを含めておく必要がある（後述）。
【００２６】
図２は、携帯電話会社２０の接続センター２１における本発明の移動端末の料金減免方式の一実施の形態を示すブロック構成図、図３は、本発明の移動端末の料金減免方法の一実施の形態を示す動作フロー図である。また、図４は、割引率をファイルによって動的に変更する場合の、ダウンロードするファイルの構成例を示す図であり、データ部に対し、提携先会社コード（サイトコード）、課金の割引乗率、適用期限などを設定したヘッダが付加されている。
【００２７】
以下、図２、図３、及び図４を参照し、本発明の動作について詳細に説明する。
【００２８】
まず、ファイルデータ取得手段２０１は、サイト（提携先会社）からダウンロードするファイルを取得する（ステップ１）。
【００２９】
次に、割引率設定手段２０２は、サイトが提携先かどうか（予め、提携先サイトのデータを保持しているものとする。）を確認し（ステップ２）、提携先でない場合は、携帯電話会社２０がサービスする通常の割引率をユーザデータ２０６に設定しステップ７へ行く（ステップ３）。尚、ユーザデータとはユーザが接続センター２１を経由してサイトにダウンロード要求を行い、そのダウンロードが終わるまで、接続センター２１でユーザ対応に保持するデータである。
【００３０】
提携先の場合は、割引方法が固定か、動的かを判断する（ステップ４）。尚、割引方法が固定か、動的かは、図４に示すようにダウンロードするファイルにヘッダが付加されているかどうかで判断する（付加されていれば、動的と見なす。）。さらに、割引率設定手段２０２は、割引方法が固定の場合は、予め設けられてる割引率表２０５からサイト対応の割引率を取り出し、ユーザデータ２０６に設定しステップ７へ行く（ステップ５）。割引方法が動的の場合は、ファイルデータのヘッダ部から割引率を取り出し、ユーザデータ２０６に設定しステップ７へ行く（ステップ６）。尚、割引率表２０５またはヘッダ部に有効期限がある場合は、現在がその期間に含まれている場合のみ割引率表２０５またはヘッダ部の割引率を用い、それ以外は、通常の割引率をユーザデータ２０６に設定する。
【００３１】
次に、ファイルデータ転送手段２０３は、ダウンロードするファイルをユーザに転送するが、このときヘッダが付加されていれば、それを除去する（ステップ７）。
【００３２】
さいごに、課金手段２０４は、ユーザデータ２０６に設定された割引率を用いて、そのユーザ対応の課金を計算する（ステップ８）。
【００３３】
【発明の効果】
以上説明したように、本発明は、例えば、音声、音楽、画像、動画といったデータサイズが大きいコンテンツを携帯電話にダウンロードした際の通信料金を携帯電話会社が割り引く仕組みを提供するようにしたため、データサイズが大きいコンテンツのサイトからの広告の効果や販売が向上するメリットがある。
【図面の簡単な説明】
【図１】本発明の一実施の形態を示すシステム構成図である。
【図２】携帯電話会社２０の接続センター２１における本発明の移動端末の料金減免方式の一実施の形態を示すブロック構成図である。
【図３】本発明の移動端末の料金減免方法の一実施の形態を示す動作フロー図である。
【図４】割引率をファイルによって動的に変更する場合の、ダウンロードするファイルの構成例を示す図である。
【符号の説明】
１０    提携先会社
１１    サーバ
２０    携帯電話会社
２１    接続センター
３０    ユーザ
３１    端末
２０１    ファイルデータ取得手段
２０２    割引率設定手段
２０３    ファイルデータ転送手段
２０４    課金手段
２０５    割引率表
２０６    ユーザデータ
【図１】
2004173192.tif 000003
【図２】
2004173192.tif 000004
【図３】
2004173192.tif 000005
【図４】
2004173192.tif 000006